(57)【要約】【課題】複数の用途に使用可能であり、しかも構造が簡易な多目的フィルム袋状体を提供する。【解決手段】フィルムにより袋状に構成された袋状体１０であって、少なくとも第１の開口部１１、第２の開口部１２及び第３の開口部１３を含む３つ以上の開口部を有し、第１の開口部１１は袋状体１０の上部の中央に位置し、第２の開口部１２は袋状体１０の右側部の上側に位置し、第３の開口部１３は袋状体の左側部の上側に位置し、第１の開口部１１に人の頭部、第２の開口部１２に人の右腕、第３の開口部１３に人の左腕を通すことが可能である多目的フィルム袋状体１０。【選択図】図２
0003219182.tif 000002
【実用新案登録請求の範囲】
【請求項１】
フィルムにより袋状に構成された袋状体であって、
少なくとも第１の開口部、第２の開口部及び第３の開口部を含む３つ以上の開口部を有し、
第１の開口部は袋状体の上部の中央に位置し、第２の開口部は袋状体の右側部の上側に位置し、第３の開口部は袋状体の左側部の上側に位置し、
第１の開口部に人の頭部、第２の開口部に人の右腕、第３の開口部に人の左腕を通すことが可能である多目的フィルム袋状体。
【請求項２】
さらに第４の開口部を有し、
第４の開口部は袋状体の下部に位置し、
第４の開口部に人の胴体部を通すことが可能であり、ビブスとして使用可能な請求項１に記載の多目的フィルム袋状体。
【請求項３】
第４の開口部を封止することによって、物入袋としても使用可能な請求項２に記載の多目的フィルム袋状体。
【請求項４】
袋状体の下部に開口部を有さず、物入袋として使用可能な請求項１に記載の多目的フィルム袋状体。
【請求項５】
袋状体の下部に人の胴体部を通すことが可能な第４の開口部を新たに設けることによって、ビブスとしても使用可能な請求項４に記載の多目的フィルム袋状体。
【請求項６】
防災用ビブス、若しくは、非常用品又は貴重品用物入袋である請求項１に記載の多目的フィルム袋状体。
【考案の詳細な説明】
【技術分野】
【０００１】
本考案は、例えば災害時の防災用使い捨てビブスや、災害時の非常用品又は貴重品用使い捨て物入袋として使用可能な多目的フィルム袋状体に関する。
【背景技術】
【０００２】
災害が発生した際には、風雨、煙、塵などから人体を守り且つ通常の衣服の破損や汚れも防止する防災用衣類が必要となり、また同時に非常用品や貴重品を持ち運ぶことも必要となる。
【０００３】
例えば特許文献１には、開閉可能な切れ込み（ファスナー付き）を有する防災用衣類が開示されている。この防災用衣類には、前面部及び背面部に多数の収納部（ポケット）３及び４が設けられ、この収納部３及び４に非常用品や貴重品を入れる構成になっている。そして、ファスナー６を開いて背面部が前に来るように防災用衣類を回転させれば、背面部の収納部（ポケット）３及び４から容易に物品を取り出すことができ、防災用衣類を脱ぐ手間が省けると説明されている。また、防災用衣類の袖部付け根９ａと側方開口部２の周縁２ａをファスナー等で分離可能な構成にしても良いことも説明されている。この部分を分離した場合の防災用衣類は、袖が無いジャケット状（又はビブス状）となる。
【先行技術文献】
【特許文献】
【０００４】
【特許文献１】実用新案登録第３１８４８４２号公報
【考案の概要】
【考案が解決しようとする課題】
【０００５】
以上説明した特許文献１の防災用衣類は、多数のポケットやファスナーを設ける必要があるので、その構造が複雑でコストがかかる。
【０００６】
すなわち本考案の目的は、複数の用途（例えばビブスや物入袋）に使用可能であり、しかも構造が簡易な多目的フィルム袋状体を提供することにある。
【課題を解決するための手段】
【０００７】
本考案者らは上記目的を達成すべく鋭意検討した結果、フィルムにより袋状に構成された袋状体に複数の特定の開口部を設けるだけで複数の用途（例えばビブスや物入袋）に使用可能な多目的フィルム袋状体を提供できることを見出し、本考案を完成するに至った。すなわち本考案は、以下の事項により特定される。
【０００８】
［１］フィルムにより袋状に構成された袋状体であって、
少なくとも第１の開口部、第２の開口部及び第３の開口部を含む３つ以上の開口部を有し、
第１の開口部は袋状体の上部の中央に位置し、第２の開口部は袋状体の右側部の上側に位置し、第３の開口部は袋状体の左側部の上側に位置し、
第１の開口部に人の頭部、第２の開口部に人の右腕、第３の開口部に人の左腕を通すことが可能である多目的フィルム袋状体。
【０００９】
［２］さらに第４の開口部を有し、
第４の開口部は袋状体の下部に位置し、
第４の開口部に人の胴体部を通すことが可能であり、ビブスとして使用可能な［１］に記載の多目的フィルム袋状体。
【００１０】
［３］第４の開口部を封止することによって、物入袋としても使用可能な［２］に記載の多目的フィルム袋状体。
【００１１】
［４］袋状体の下部に開口部を有さず、物入袋として使用可能な［１］に記載の多目的フィルム袋状体。
【００１２】
［５］袋状体の下部に人の胴体部を通すことが可能な第４の開口部を新たに設けることによって、ビブスとしても使用可能な［４］に記載の多目的フィルム袋状体。
【００１３】
［６］防災用ビブス、若しくは、非常用品又は貴重品用物入袋である［１］に記載の多目的フィルム袋状体。
【考案の効果】
【００１４】
本考案のフィルム袋状体は、少なくとも第１の開口部、第２の開口部及び第３の開口部を含む３つ以上の開口部を有するので、例えばビブスや物入袋などの複数の用途に使用可能である。また本考案のフィルム袋状体は構造が簡易なので低コストで製造でき、しかもコンパクトな構造なので持ち運びや保管も容易である。
【図面の簡単な説明】
【００１５】
【図１】本考案のフィルム袋状体の第一の実施形態を示す正面図である。
【図２】（ａ）及び（ｂ）は本考案のフィルム袋状体をビブスとして使用した状態を示す斜視図である。
【図３】（ａ）は本考案のフィルム袋状体の第一の実施形態を示す正面図であり、（ｂ）はその下部をシールした状態を示す正面図である。
【図４】本考案のフィルム袋状体を物入袋として使用した状態を示す斜視図である。
【図５】本考案のフィルム袋状体の第二の実施形態を示す正面図である。
【図６】（ａ）は本考案のフィルム袋状体の第二の実施形態を示す正面図であり、（ｂ）はその下部をカットした状態を示す正面図である。
【考案を実施するための形態】
【００１６】
まず、本考案のフィルム袋状体の第一の実施形態を説明する。この第一の実施形態は、以下に詳述するように第４の開口部１４を有し、そのままビブスとして使用可能な形態である。
【００１７】
図１は、本考案のフィルム袋状体の第一の実施形態を示す正面図である。この図１に示すフィルム袋状体１０は、フィルムにより袋状に構成された袋状体であり、第１の開口部１１、第２の開口部１２、第３の開口部１３及び第４の開口部１４を有する。
【００１８】
図１に示す第１の開口部１１は、フィルム袋状体１０の上部の中央に位置し、人の頭部を通すことが可能なサイズ及び配置に開口された部分である。より具体的には、第１の開口部１１は、フィルム袋状体１０の上部中央において前側のフィルムを半月状に開口された部分である。一方、上部中央の後側のフィルムは開口されていない。ただし、本考案における第１の開口部１１はこれに限定されず、第１の開口部１１に人の頭部を通すことが可能であり、その結果、フィルム袋状体１０がビブスとして使用可能となるような開口部であれば良い。例えば、上部中央における前側のフィルムを三角状、四角状等の多角状に開口されていても良いし、前側のフィルムだけでなく後側のフィルムも同じ形状又は異なる所望形状に開口されていても良い。
【００１９】
図１に示す第２の開口部１２及び第３の開口部１３は、各々、フィルム袋状体１０の右側部の上側及び左側部の上側に位置し、人の右腕及び左腕を通すことが可能なサイズ及び配置に開口された部分である。より具体的には、第２の開口部１２及び第３の開口部１３は、フィルム袋状体１０の右側部の上側及び左側部の上側において前側及び後側のフィルムが同じＪ字形状にカットされ開口された部分である。ただし、本考案における第２の開口部１２及び第３の開口部１３はこれに限定されず、第２の開口部１２及び第３の開口部１３に各々人の右腕及び左腕を通すことが可能であり、その結果、フィルム袋状体１０がビブスとして使用可能となるような開口部であれば良い。例えば、前側のフィルムの開口部分が後側のフィルムの開口部分よりも大きくても良いし、前側のフィルムだけが開口されていて後側のフィルムは開口されていない形態であっても良い。
【００２０】
図１に示す第４の開口部１４はフィルム袋状体１０の下部に位置し、人の胴体部を通すことが可能なサイズ及び配置に開口された部分である。より具体的には、第４の開口部１４は、フィルム袋状体１０の下部の全体が開口された部分である。ただし、本考案における第４の開口部１４はこれに限定されず、第４の開口部１４に人の胴体部を通すことが可能であり、その結果、フィルム袋状体１０がビブスとして使用可能となるような開口部であれば良い。例えば、フィルム袋状体１０の下部の全体ではなく一部のみが開口された形態であっても、その開口のサイズが人の胴体部を通すことが可能であれば構わない。
【００２１】
図２（ａ）及び図２（ｂ）は、本考案のフィルム袋状体をビブスとして使用した状態を示す斜視図である。具体的には、図２（ａ）に示すフィルム袋状体１０は、図１を用いて説明した第一の実施形態であるフィルム袋状体１０の斜視図であり、図２（ｂ）は、このフィルム袋状体１０をそのままビブスとして使用した状態を示す斜視図である。図２（ｂ）に示すように、フィルム袋状体１０を頭からかぶり、各開口部に頭と腕を通すことによりビブスとして着用できる。
【００２２】
なお、本考案における「ビブス」とは、頭からかぶって着用するベスト状の衣類を意味する。ビブスは、風雨、煙、塵などから人体を守るだけでなく、ビブスの下に着る通常の衣服の破損や汚れも防止する。さらにビブスに識別用のプリントを施しておけば、例えば所属の識別や防災時の救助活動の際にも有用である。
【００２３】
本考案における各開口部は、この図２（ｂ）に示すようにビブスとして使用可能となるようなサイズ及び配置であれば良い。そのビブスの使用態様は特に限定されず、使い捨てであっても良いし、繰り返し使用しても良い。
【００２４】
以上説明した第１の開口部１１、第２の開口部１２、第３の開口部１３及び第４の開口部１４は、簡易な方法により形成できる。例えば、通常の単純なフィルム袋（開口部が１つの袋状体）を基礎材として用いる場合は、その袋の開口部を第４の開口部１４とし、あとの第１の開口部１１、第２の開口部１２及び第３の開口部１３は、所望の位置及びサイズでカットすることにより形成すれば良い。
【００２５】
本考案のフィルム袋状体を構成するフィルムの厚さは特に限定されない。ただしその厚さは、１０〜１００μｍであることが好ましく、２０〜４０μｍであることがより好ましい。また通常、フィルムは樹脂から構成されるが、樹脂の種類は特に限定されない。ただし、ポリエチレン、ポリプロピレン等の樹脂から構成されるフィルムが好ましい。
【００２６】
次に、以上説明したフィルム袋状体１０（第一の実施形態）を、物入袋として使用する場合について説明する。
【００２７】
図３（ａ）は、本考案のフィルム袋状体の第一の実施形態を示す正面図であり、図３（ｂ）は、その下部をシールした状態を示す正面図である。図３（ａ）に示すフィルム袋状体１０は、図１に示したフィルム袋状体１０と同じものである。すなわち、このフィルム袋状体１０は、その下部の全体が開口された部分（第４の開口部１４）を有する。そして図３（ｂ）に示すように、第４の開口部１４のやや上側全体にシール部１８を形成することによって、第４の開口部が封止されたフィルム袋状体１０Ａが得られる。このフィルム袋状体１０Ａは、物入袋として使用可能となる。シール部１８を形成する方法は特に限定されず、例えばハンドシーラー等の簡易な熱融着器を用いれば良い。
【００２８】
図４は、本考案のフィルム袋状体を物入袋として使用した状態を示す斜視図である。図４においては、フィルム袋状体１０Ａの第１の開口部１１と第２の開口部１２の間の部位並びに第１の開口部１１と第３の開口部１３の間の部位が手さげ部となり、その内部に災害時の非常用品又は貴重品１９等の物品を入れることが可能である。非常用品とは、例えば、非常用食糧又は飲料、懐中電灯、ラジオ等である。
【００２９】
以上説明したとおり、本考案のフィルム袋状体の第一の実施形態（図１）においては、フィルム袋状体１０をそのままビブスとして使用でき、しかも第４の開口部１４を封止することによって物入袋としても使用できる。したがって、このフィルム袋状体１０は多目的フィルム袋状体である。
【００３０】
次に、本考案のフィルム袋状体の第二の実施形態を説明する。この第二の実施形態は、以下に詳述するように第４の開口部１４を有さず、そのまま物入袋として使用可能な形態である。
【００３１】
図５は、本考案のフィルム袋状体の第二の実施形態を示す正面図である。この図５に示すフィルム袋状体２０は、袋状に構成された袋状体であり、第１の開口部２１、第２の開口部２２及び第３の開口部２３を有する。フィルム袋状体２０は第４の開口部１４を有しておらず、その下部は非開口領域２７となっている。それ以外の部分については図１に示したフィルム袋状体１０と同様であり、第１の開口部２１、第２の開口部２２及び第３の開口部２３は、各々、図１に示した第１の開口部１１、第２の開口部１２及び第３の開口部１３に相当する。
【００３２】
図５に示すフィルム袋状体２０は、袋状体の下部が非開口領域２７となっているので、図４に示したフィルム袋状体１０Ａと同様に、物入袋として使用可能である。
【００３３】
次に、以上説明したフィルム袋状体２０（第二の実施形態）を、ビブスとして使用する場合について説明する。
【００３４】
図６（ａ）は、本考案のフィルム袋状体の第二の実施形態を示す正面図であり、図６（ｂ）は、その下部をカットした状態を示す正面図である。図６（ａ）に示すフィルム袋状体２０は、図５に示したフィルム袋状体１０と同じものである。すなわち、このフィルム袋状体２０の下部は非開口領域２７となっている。
【００３５】
そして図６（ｂ）に示すように、非開口領域２７のやや上側全体に横切る位置（図６（ａ）のカット位置２８）をカットし下部の全体を開口することによって、第４の開口部２４を新たに設けたフィルム袋状体２０Ａが得られる。カットする方法は特に限定されず、例えばハサミやカッター等の簡易なカット用具を用いれば良い。
【００３６】
図６（ｂ）に示すフィルム袋状体２０Ａの第４の開口部２４は、図１に示した第４の開口部１４に相当するので、フィルム袋状体２０Ａは、図１に示したフィルム袋状体１０と同じ構成になる。したがって、図２（ｂ）に示したフィルム袋状体１０と同様にビブスとして使用可能である。
【００３７】
以上説明したとおり、本考案のフィルム袋状体の第二の実施形態（図５）においては、フィルム袋状体２０をそのまま物入袋として使用でき、しかも下部をカットし第４の開口部２４を新たに設けることによってビブスとしても使用できる。したがって、このフィルム袋状体２０は多目的フィルム袋状体である。
【産業上の利用可能性】
【００３８】
本考案の多目的フィルム袋状体は、以上説明したようにビブス又は物入袋としての用途において有用である。ビブス又は物入袋としての使用態様は特に限定されず、使い捨てであっても良いし、繰り返し使用しても良い。ただし本考案においては、簡易な構成で低コストである点から、特に使い捨てビブス又は使い捨て物入袋としての使用態様に適している。
【００３９】
本考案の多目的フィルム袋状体は、コンパクトな構造で持ち運びや保管も容易な点から、災害時の防災用ビブス、若しくは、災害時の非常用品又は貴重品用物入袋として保管し必要な際に持ち運ぶのに便利である。また、雨ガッパとしても同様に使用可能である。さらに本考案の多目的フィルム袋状体に識別用のプリントを施しておけば、例えば所属の識別や防災時の救助活動の際にも便利である。
【符号の説明】
【００４０】
１０  フィルム袋状体
１１  第１の開口部
１２  第２の開口部
１３  第３の開口部
１４  第４の開口部
１８  シール部
１９  非常用品又は貴重品
２０  フィルム袋状体
２１  第１の開口部
２２  第２の開口部
２３  第３の開口部
２４  第４の開口部
２７  非開口領域
２８  カット位置
【図１】
0003219182.tif 000003
【図２】
0003219182.tif 000004
【図３】
0003219182.tif 000005
【図４】
0003219182.tif 000006
【図５】
0003219182.tif 000007
【図６】
0003219182.tif 000008